(57)【要約】【課題】本体に収容されたペン芯の装着されたペン芯移動体を移動させればペン芯が出沒するスライドペンを提供する。【解決手段】芯先を有するペン芯と、前記ペン芯の芯先が下端から突出するようにするとともにペン芯を内部に収容して装着できるように下端が開口し、ペン芯装着部を備え、上部にはガイド突起が形成された管状のペン芯移動体と、上部は管状であり、中間部は、前記ペン芯移動体が内部に収容され、ペン芯移動体の外周の一部が外部に露出するように一側部が開口した管状であり、下部は円錐状であり、下端は芯先が出沒できるように開口しており、上部には、前記ペン芯移動体のガイド突起が上下に移動して固定されるガイド孔が形成された本体とを含む。【選択図】図１
2008012906.tif 000002
【特許請求の範囲】
【請求項１】
芯先を有するペン芯と、
前記ペン芯の芯先が下端から突出するようにするとともにペン芯を内部に収容して装着できるように下端が開口し、ペン芯装着部を備え、上部にはガイド突起が形成された管状のペン芯移動体と、
上部は管状であり、中間部は、前記ペン芯移動体が内部に収容され、ペン芯移動体の外周の一部が外部に露出するように一側部が開口した管状であり、下部は円錐状であり、下端は芯先が出沒できるように開口しており、上部には、前記ペン芯移動体のガイド突起が上下に移動して固定されるガイド孔が形成された本体と、を含んでなり、
前記ペン芯移動体のガイド突起が前記本体の上部のガイド孔内で上下に移動すると、前記ペン芯移動体が本体の内部でスライドして、ペン芯移動体のペン芯装着部に装着されたペン芯の芯先が前記本体の下端で出沒することを特徴とする、スライドペン。
【請求項２】
前記本体の上部のガイド孔は本体の中間部に形成された開口側部と連結されて形成され、前記ペン芯移動体のガイド突起が前記連結形成された孔に挿入されることにより、前記ペン芯の装着されたペン芯移動体が本体に組立てられることを特徴とする、請求項１に記載のスライドペン。
【請求項３】
前記ガイド突起は、垂直断面が円形の円形突起と、前記円形突起の中央から上方に垂直に伸びており、水平断面が四角形のバー形突起と、を含んでなり、
前記ガイド突起と対応し、前記ガイド孔は、前記ペン芯移動体が前記本体に収容される時、前記ガイド突起が最初に通過するように、前記本体の中間部に形成された開口側部と連結されて形成された第１の通過孔と、第1通過孔と連結され、前記ガイド突起の円形突起を固定させるように上下に形成された一対の円形孔と、前記一対の円形孔間に形成され、前記ガイド突起の円形突起が通過する時、弾性力を提供する第２通過孔と、前記一対の円形孔の上端中央に連結されて形成され、前記ガイド突起のバー形突起が通過する直線形孔と、を含んでなることを特徴とする、請求項１に記載のスライドペン。
【請求項４】
前記ガイド突起の円形突起は楕円形突起であり、これに対応して、前記ガイド孔の円形孔も楕円形孔であることを特徴とする、請求項３に記載のスライドペン。
【請求項５】
前記スライドペンは、前記ペン芯移動体が本体に収容された時、本体の開口側部に露出するペン芯移動体の一側部の外周面を取り囲む外装部をさらに含み、前記外装部の外周長は前記本体の開口側部の外周長より小さいかまたは同一であり、その上下長は、本体の開口側部の上下長より、前記ペン芯移動体のガイド突起が前記本体のガイド孔内で移動する距離以上に短いことを特徴とする、請求項１に記載のスライドペン。
【請求項６】
前記外装部の外周長は前記本体の開口側部の外周長と同一であり、その上下長は本体の開口側部の上下長より、ペン芯移動体のガイド突起が前記本体のガイド孔内で移動する距離の分だけ短いことを特徴とする、請求項５に記載のスライドペン。
【請求項７】
前記ペン芯移動体は、本体の開口側部に露出しないその一側部が開口した管状であり、前記ペン芯移動体のペン芯装着部はペン芯移動体の内部に一対の対向する平板状に形成され、その間にペン芯が装着されることを特徴とする、請求項１に記載のスライドペン。
【請求項８】
前記ペン芯移動体はクリップ部をさらに含み、前記クリップ部とガイド突起は一体に形成されたことを特徴とする、請求項１に記載のスライドペン。
【請求項９】
前記ペン芯の芯先が突出した時、前記外装部と前記本体には、把持部として凹凸部が互いに整合するように形成されたことを特徴とする、請求項５に記載のスライドペン。
【発明の詳細な説明】
【技術分野】
【０００１】
本発明はペン芯とペン芯移動体および本体を含んでなるスライドペンに係り、より詳しくは本体に収容されたペン芯の装着されたペン芯移動体を移動させればペン芯が出沒するスライドペンに関するものである。
【背景技術】
【０００２】
一般的に、筆記具は、ペン芯、スプリング、ペン芯ケース、操作ボタンおよび上下部ケースから構成される。
このような操作ボタンを有する筆記具を使用するためには、上部に位置する操作ボタンを押し込んでペン芯を突出させ、筆記具を使用しない時には、操作ボタンをもう一度押し込んでペン芯を没入させて携帯する。
【０００３】
このような操作ボタンは、ノックとギアを動作させてペン芯を突出および没入させるものもある。
すなわち、互いにかみ合ったノックとギアが上部ケース内部の係止溝に定着している状態で、使用者が操作ボタンに力を加えて押し込めば、ノックとギアが係止溝から着脱して操作ボタンの押込み方向に回転しながら進む。
そして、操作ボタンに力を加えなければ、ノックとギアが回転して、上部ケースの係止突起にギアの突出部がかかることになる。このような動作により、ノックに加わる力によりペン芯が下方に押し出されて下部ケースの外部に突出する。
使用を終了するための反対の場合は、使用者が操作ボタンに力を加えて押し込めば、ノックとギアが係止突起から着脱して操作ボタンの押込み方向に回転しながら進む。
そして、操作ボタンに力を加えなければ、ノックとギアが回転しながら上部ケースの係止溝に定着することになる。このような動作により弾性部が弾性力を失うことになるので、ペン芯が下部ケースの内部に没入される。
【０００４】
しかし、このような方式のノック式筆記具は、たいていペン芯ケース、操作ボタンおよび上下部ケースなどの４ピースあるいは５ピースの構成メンバーから構成されて、部品数が多くて構造が複雑であるから、製造費用が高くて組立も難しい欠点がある。
【発明の開示】
【発明が解決しようとする課題】
【０００５】
したがって、本発明の目的は、構造が簡単で組立を容易にするために、ペン芯と、ペン芯を収容して装着させるペン芯移動体と、前記ペン芯移動体を収容する本体とから構成され、ペン芯移動体をスライドさせればペン芯が出沒するスライドペンを提供することにある。
【課題を解決するための手段】
【０００６】
前記目的を達成するために、本発明は、（ａ）芯先を有するペン芯と、（ｂ）前記ペン芯の芯先が下端から突出するようにするとともにペン芯を内部に収容して装着できるように下端が開口し、ペン芯装着部を備え、上部にはガイド突起が形成された管状のペン芯移動体と、（ｃ）上部は管状であり、中間部は、前記ペン芯移動体が内部に収容され、ペン芯移動体の外周の一部が外部に露出するように一側部が開口した管状であり、下部は円錐状であり、下端は芯先が出沒できるように開口しており、上部には、前記ペン芯移動体のガイド突起が上下に移動して固定されるガイド孔が形成された本体と、を含んでなるスライドペンを提供する。
【０００７】
本発明のスライドペンは、前記のような構成を有することにより、ペン芯移動体のガイド突起が前記本体上部のガイド孔の上下に移動すれば、ペン芯移動体が本体の内部でスライドし、ペン芯移動体のペン芯装着部に装着されたペン芯の芯先が前記本体の下端で出沒することができる。
【０００８】
前記本発明のスライドペンにおいて、本体上部のガイド孔は本体の中間部に形成された開口側部と連結されて形成されることが望ましい。これは、ペン芯の装着されたペン芯移動体が本体に組立てられる時、ペン芯移動体のガイド突起が通過できるようにすることにより、ペン芯の装着されたペン芯移動体が容易に本体に組立てられるからである。
【０００９】
また、前記本発明のスライドペンにおいて、前記ガイド突起は、垂直断面が円形の円形突起と、前記円形突起の中央から上方に垂直に伸びており、水平断面が四角形のバー形突起と、を含んでなり、前記ガイド突起と対応し、前記ガイド孔は、前記ペン芯移動体が前記本体に収容される時、前記ガイド突起が最初に通過するように、前記本体の中間部に形成された開口側部と連結されて形成された第１の通過孔と、第1通過孔と連結され、前記ガイド突起の円形突起を固定させるように上下に形成された一対の円形孔と、前記一対の円形孔間に形成され、前記ガイド突起の円形突起が通過する時、弾性力を提供する第２通過孔と、前記一対の円形孔の上端中央に連結されて形成され、前記ガイド突起のバー形突起が通過する直線形孔とを含んでなることが望ましい。
【００１０】
前記ガイド突起の円形突起が楕円形突起に形成される場合、これに対応して、前記ガイド孔の円形孔も楕円形孔に形成される。
【００１１】
また、前記本発明のスライドペンにおいて、前記スライドペンは、前記ペン芯移動体が本体に収容された時、本体の開口側部に露出するペン芯移動体の一側部の外周面を取り囲む外装部をさらに含み、前記外装部の外周長は前記本体の開口側部の外周長より小さいかまたは同一であり、その上下長は、本体の開口側部の上下長より、前記ペン芯移動体のガイド突起が前記本体のガイド孔内で移動する距離以上に短いことが望ましい。
【００１２】
前記外装部の外周長が前記本体の開口側部の外周長より長い場合は、ペン芯移動体が本体に収容できなく、また上下長が本体の開口側部の上下長より、前記ペン芯移動体のガイド突起が前記本体のガイド孔内で移動する距離以下に短い場合は、ペン芯の芯先が正常に突出することができない。すなわち、外装部の上下長は本体の開口側部の上下長より短く、その差は、前記ペン芯移動体のガイド突起が前記本体のガイド孔内での移動距離以上の差でなければならない。
最適には、前記外装部の外周長が前記本体の開口側部の外周長と同一であり、その上下長が本体の開口側部の上下長より、ペン芯移動体のガイド突起が前記本体のガイド孔内で移動する距離の分だけ短い場合である。この場合、ペン芯移動体のスライドが円滑であり、ペン芯の芯先が充分に突出することができる。
【００１３】
また、本発明のスライドペンにおいて、前記ペン芯移動体は、本体に収容された時、本体の開口側部に露出しない一側部が開口した管状であり、そのペン芯移動体のペン芯装着部は、ペン芯移動体の内部に一対の対向する平板状に形成され、その間にペン芯が装着されるように構成されることが望ましい。
【００１４】
また、本発明のスライドペンにおいて、前記ペン芯移動体はクリップ部をさらに含み、前記クリップ部とガイド突起は一体に形成されることが望ましい。
【００１５】
また、本発明のスライドペンにおいて、前述したように、外装部を含み、前記外装部には、把持部に凹凸部が形成され、本体の把持部にも凹凸部が形成されることが望ましい。すなわち、ペン芯の芯先が突出した時、前記外装部と前記本体には、把持部として凹凸部が互いに整合するように形成されることが望ましい。
【００１６】
一方、本発明において、ペン芯移動体と本体は、その厚さ方向の断面が通常には円形に形成されるが、四角形、六角形、八角形などであってもかまわない。ペン芯移動体と本体が四角形、六角形、八角形などの厚さ方向の断面を有する場合、ペン芯移動体の外装部は板形、または厚さ方向の断面が四角形、六角形または八角形の切片状を有する。すなわち、ペン芯移動体と本体の厚さ方向の断面が円形であれば、外装部は“Ｃ”字形の断面を有する。また、一側部が開口したペン芯移動体と本体の中間部においても、ペン芯移動体と本体が四角形、六角形、八角形などの厚さ方向の断面を有する場合は、四角形、六角形または八角形の切片状の断面を有する。すなわち、ペン芯移動体と本体の厚さ方向の断面が円形であれば、一側部が開口したペン芯移動体と本体の中間部は“Ｃ”字形の断面を有する。
【発明の効果】
【００１７】
前述したように、本発明のスライドペンは、ペン芯、ペン芯移動体および本体から構成され、その構成が簡単で、組立および操作が容易である。これにより、製造工程が容易であり、製造費用を節減することができる。
【発明を実施するための最良の形態】
【００１８】
以下、本発明のスライドペンの好適な実施例を添付図面に基づいて説明する。
【００１９】
図１は本発明の一実施例によるスライドペンの全体分解斜視図である。
図１に示すように、本発明のスライドペンは、ペン芯１と、ペン芯１を収容し、これを着脱可能に装着させるペン芯移動体２０と、前記ペン芯移動体２０を着脱可能に収容する本体１０とから構成される。
前記本体１０は、その中間部の一側部が開口され、ペン芯移動体２０も、その一側部が開口している。ペン芯１をペン芯移動体２０に装着し、ペン芯１の装着されたペン芯移動体２０を本体１０と組立てれば、本発明によるスライドペンが構成される。
【００２０】
図２ａおよび図２ｂは図１のペン芯移動体２０の斜視図および側面図を示し、図３ａおよび図３ｂは図１の本体１０の斜視図および側面図を示す。
まず、図２ａおよび図２ｂを参照すれば、ペン芯移動体２０は全体として一側部が開口した円筒状を取っているもので、クリップ部２１、ペン芯支持部２２、ペン芯収容部２３、ペン芯装着部２４、ヘッド部２５、外装部２６、およびガイド突起２８、２９を含んで構成される。
【００２１】
前記クリップ部２１は、通常の筆記具の如く、本発明のスライドペンを紙や衣服に付着可能にする機能を有する。
また、前記ヘッド部２５はペン芯移動体２０の上端に形成され、前記クリップ部２１および後述のガイド突起２８、２９と一体に形成される。このヘッド部２５は、クリップ部２１とガイド突起２８、２９が一体に形成できる席部を提供する役目をする。
前記クリップ部２１と前記ヘッド部２５を連結する部位には、ガイド突起２８、２９が前記クリップ部２１およびヘッド部２５と一体に形成される。ガイド突起２８、２９は、垂直断面が楕円形の楕円形突起２８と、楕円形突起２８の上端に垂直に上方に伸び、水平断面が四角形のバー形突起２９とが互いに一体型に結合された構成を取っている。前記ガイド突起２８、２９は、楕円形突起２８とバー形突起２９が互いに一体型に構成されるので、全体としてマイクの形状を取っている。ここで、前記バー形突起２９は、その上部に行くほど厚さ方向の幅が細くなるラウンド形状を取っている。これは、前記ガイド突起２８、２９が後述する本体１０のガイド孔Ｇ内でより円滑に移動することができるようにするためである。
【００２２】
一方、ペン芯収容部２３は一側部が開口しているペン芯移動体２０の内部をいい、ペン芯装着部２４はペン芯移動体２０の内部上側に一体型に形成された一対の平板２４’を言う。ペン芯１はペン芯収容部２３に収容され、その上部が前記一対の平板２４’間に挟支されて装着される。
【００２３】
ペン芯支持部２２はペン芯移動体２０の下端の内部に一体型に形成された“Ｃ”字形のリブ部である。これは、ペン芯１が、図１に示すように、前記リブ部と対応する突出部を有する場合に有用である。しかし、ペン芯１がペン芯装着部２４に装着されて筆記可能であれば、前記ペン芯支持部２２が必ずしも本発明のスライドペンに備えられる必要なない。
【００２４】
一方、前記ペン芯移動体２０の一側部に外装部２６が備えられる。この外装部２６は、ペン芯移動体２０が本体１０に収容され組立された時、本体の開口側部に露出するペン芯移動体２０の外周面を取り囲むように備えられている。この外装部２６は、その外周長が本体１０の開口側部の外周長より小さいかまたは同一であり、その上下長と本体１０の開口側部の上下長の差はペン芯移動体２０のガイド突起２８、２９が本体１０のガイド孔Ｇ内で移動する距離以上でなければならない。例えば、外装部２６の外周長が１ｃｍであれば、本体１０の開口側部の外周長は１ｃｍ以上でなければならなく、外装部２６の上下長が８ｃｍで、本体１０の開口側部の上下長が１０ｃｍであれば、ペン芯移動体２０のガイド突起２８、２９が本体１０のガイド孔Ｇ内で移動する距離は２ｃｍ（１０ｃｍ−８ｃｍ＝２ｃｍ）以下でなければならない。
【００２５】
外装部２６の外周長が本体１０の開口側部の外周長よりも場合には、ペン芯移動体２０が本体１０に組立てられることができなく、また、外装部２６の上下長と本体１０の開口側部の上下長の差がガイド突起２８、２９のガイド孔Ｇ内での移動距離以下であれば、ペン芯移動体２０の移動距離が短くて、結果として、ペン芯１の芯先が突出しないこともある。望ましくは、前記外装部２６の外周長が本体１０の開口側部の外周長と同一であり、外装部２６の上下長と本体１０の開口側部の上下長の差がペン芯移動体２０のガイド突起２８、２９が本体１０のガイド孔Ｇ内で移動する距離と同一である場合である。このように形成する場合に、ペン芯移動体２０が左右に揺れることが防止され、ペン芯１の芯先が適当に突出することができる。
【００２６】
ここで、外装部２６の上端と下端がそれぞれ本体の開口した一側部の上端と下端にかみ合うように形成されることが望ましい。また、ペン芯１の芯先が突出した時、筆記のための外装部２６の把持部は、後述する本体１０の把持部の凹凸部Ｂと対応するように、凹凸部Ａが形成されることが望ましい。
【００２７】
また、外装部２６の両側端には一定間隔で同じ形状の膨出突起２７が形成されたことが望ましい。前記突起２７は前記本体１０の開口部の両側端と接触して、筆記時に摩擦力を増加させることで、ペン芯１０が没入されることを防止し、これと反対に、スライド動作の時には、面接触を最小化して摩擦力の発生を最小化することで、滑らかなスライドを保障する。
【００２８】
一方、図３ａおよび図３ｂを参照すれば、本体１０は、円筒状の上部１１と、上部に形成されたガイド孔Ｇと、一側部１２が開口した中間部１３と、端部１５が開口して、ペン芯１の芯先が出沒する円錐状の下部１４とを含んで構成される。ここで、端部１５が開口した円錐状の下部１４は、通常に本体１０に着脱可能に結合する構成を有する。
【００２９】
本体１０の開口側部１２の上端と下端は、それぞれペン芯１が装着されたペン芯移動体２０が本体１０に収容される時、ペン芯移動体２０のヘッド部２５が出入するヘッド部出入口１６と、ペン芯移動体２０に装着されたペン芯１が出入するペン芯出入口１７とを形成する。
【００３０】
ペン芯１が装着されたペン芯移動体２０は、ペン芯１が先に本体１０のペン芯出入口１７に挿入され、そのヘッド部２５がヘッド部出入口１６を通じて挿入されると同時にそのガイド突起２８、２９がガイド孔Ｇに挿入されることにより、本体１に収容される。
【００３１】
ここで、本体１０のガイド孔Ｇは、ペン芯移動体２０が本体１０に収容される時、ペン芯移動体２０のガイド突起２８、２９が最初に通過する孔で、前記本体１０の開口側部１２と連通するように形成された第１の通過孔Ｇ１と、第１通過孔と連通するように形成され、ガイド突起２８、２９の楕円形突起２８を固定させるように上下に形成された一対の楕円形孔Ｇ２と、この一対の楕円形孔Ｇ２間に形成され、前記楕円形突起２８が通過する時、弾性力を提供する第２の通過孔Ｇ３と、前記一対の楕円形孔Ｇ２の上端中央に連結され、上方に形成され、ガイド突起２８、２９のバー形突起２９が通過する直線形孔Ｇ４とを含んでいる。
したがって、ペン芯移動体２０が本体１０に収容された時、使用者が手でペン芯移動体２０の外装部２６をスライドさせれば、ペン芯移動体２０のガイド突起２８、２９が本体１０のガイド孔Ｇに沿って移動することにより、ペン芯１の芯先が出沒することになる。
【００３２】
ガイド突起２８、２９の楕円形突起２８が一対の楕円形孔Ｇ２のうち上側の楕円形孔Ｇ２に位置すれば、ペン芯１の芯先が没入した状態になり、ガイド突起２８、２９の楕円形突起２８が一対の楕円形孔Ｇ２のうち下側の楕円形孔Ｇ２に位置すれば、ペン芯１の芯先が突出した状態になる。
【００３３】
図４はペン芯１が装着されたペン芯移動体２０が本体１０に収容されて、ペン芯１の芯先が突出した状態を示す斜視図であり、図５は、ペン芯１の芯先が出沒する時、ペン芯移動体２０のガイド突起２８、２９が本体１０のガイド孔Ｇ内でどのように移動するかを示す図である。
【００３４】
図５で、点線部はペン芯移動体２０のガイド突起２８、２９を意味する。
一方、ペン芯１の芯先が突出した時、ペン芯移動体２０の外装部２６の把持部Ａと本体１０の把持部Ｂを使用者が人差し指と親指で摘んで筆記することになる。この時、人差し指と親指がペン芯移動体２０と本体１０を互いに加圧させることになり、ペン芯１の芯先は突出状態で一層堅く固定される。
【００３５】
図６は本発明のスライドペンの他の実施例によるペン芯移動体２０を示すもので、図６ａはペン芯移動体２０の斜視図、図６ｂはペン芯移動体２０の側面図、図６ｃは図６ｂのＢ−Ｂ線についての断面図である。
図６に示すペン芯移動体２０は、前述したような一側部が開口したペン芯移動体２０（図１および図２参照）とは異なり、円筒状であり、ペン芯装着部２４はペン芯移動体の内部上側の内周に円形リブ部が形成された構造を持っている。また、図６に示すペン芯移動体２０は、前述したような一側部が開口したペン芯移動体２０とは異なり、ペン芯支持部２２を備えていない。
ペン芯１はペン芯移動体２０の内部上側に形成されたペン芯装着部２４に装着されて、本体１０に収容される。
図６のペン芯移動体２０において、他の構成要素については、前述した説明がそのまま適用可能である。
【００３６】
一方、ペン芯移動体２０において、ペン芯装着部２４は、ペン芯１が装着された状態で筆記する時、ペン芯１に加えられる力を克服し得るものであれば、どの構成を取ってもよい。
【００３７】
以上、本発明のスライドペンの技術思想を添付図面に基づいて説明したが、これは本発明の好適な実施例を例示的に説明したもので、本発明を限定するものではない。また、この技術分野の通常の知識を持った者であれば、誰でも本発明の技術思想の範疇を逸脱しない範囲内で多様な変形および模倣が可能であろう。
【図面の簡単な説明】
【００３８】
【図１】本発明の一実施例によるスライドペンの全体分解斜視図である。
【図２ａ】図１のペン芯移動体の斜視図である。
【図２ｂ】図１のペン芯移動体の側面図である。
【図３ａ】図１の本体の斜視図である。
【図３ｂ】図１の本体の側面図である。
【図４】本発明のスライドペンの組立状態の斜視図である。
【図５】本発明のスライドペンの芯先が出沒するメカニズムを示す図である。
【図６ａ】本発明の他の実施例によるスライドペンのペン芯移動体の斜視図である。
【図６ｂ】本発明の他の実施例によるスライドペンのペン芯移動体の側面図である。
【図６ｃ】本発明の他の実施例によるスライドペンのペン芯移動体の断面図である。
【符号の説明】
【００３９】
１            ペン芯
１０          本体
２０          ペン芯移動体
２８、２９    ガイド突起
２６          外装部
Ｇ            ガイド孔
【図１】
2008012906.tif 000003
【図２ａ】
2008012906.tif 000004
【図２ｂ】
2008012906.tif 000005
【図３ａ】
2008012906.tif 000006
【図３ｂ】
2008012906.tif 000007
【図４】
2008012906.tif 000008
【図５】
2008012906.tif 000009
【図６ａ】
2008012906.tif 000010
【図６ｂ】
2008012906.tif 000011
【図６ｃ】
2008012906.tif 000012